(57)【要約】【課題】タッチパネルをキーにより操作可能な商品販売データ処理装置を提供すること。【解決手段】筐体１０に開閉自在に表示装置１１が枢支され、取引する商品情報の入力及び表示が可能な商品販売データ処理装置１において、表示装置１１は、外郭部材３１に設けられたディスプレイ３２と、入力の処理が割り当てられた検知部Ｇを複数有するタッチパネル３３と、検知部Ｇを操作する補助キー３５と、を備え、補助キー３５は、外郭部材３１に設けられた固定部３８に着脱自在に設けられる構成とする。【選択図】      図１
2011180828.tif 000002
【特許請求の範囲】
【請求項１】
取引する商品情報の入力及び表示が可能な商品販売データ処理装置において、
前記商品情報を表示するディスプレイと、
前記商品情報の入力の処理が割り当てられた検知部を複数有するタッチパネルと、
前記ディスプレイ及び前記タッチパネルを保持する外郭部材と、
前記検知部を操作する補助キーと、
前記外郭部材に設けられ、前記補助キーを着脱可能な固定部と、
を備えることを特徴とする商品販売データ処理装置。
【請求項２】
前記補助キーは、前記検知部をそれぞれ操作する複数のキースイッチと前記複数のキースイッチを配置させるベースとを備えるキーブロックを１以上有することを特徴とする請求項１に記載の商品販売データ処理装置。
【請求項３】
前記ベースは、前記キースイッチを案内する案内部を有して、前記外郭部材に設けられ、
前記キースイッチは、押圧されることで前記案内部に案内されて前記タッチパネルに近接する操作部と、前記操作部が前記タッチパネルに近接することで、前記検知部を操作する前記操作部に設けられた接触部と、前記操作部及び前記ベースの間に設けられ、弾性変形により前記操作部を往復動させる弾性部材と、を備える
ことを特徴とする請求項２に記載の商品販売データ処理装置。
【請求項４】
取引する商品情報の入力及び表示が可能な商品販売データ処理装置において、
筐体と、
前記筐体に設けられた、前記商品情報の入力を行うキーボードと、
前記商品情報を表示するディスプレイと、
前記商品情報の入力の処理が割り当てられた検知部を複数有するタッチパネルと、
前記筐体に設けられ、前記ディスプレイ及び前記タッチパネルを保持する外郭部材と、
前記検知部を操作する補助キーと、
前記外郭部材に設けられ、前記補助キーを着脱可能な固定部と、
を備えることを特徴とする商品販売データ処理装置。
【請求項５】
前記補助キーは、前記検知部をそれぞれ操作する複数のキースイッチと前記複数のキースイッチを配置させるベースとを備えるキーブロックを１以上有することを特徴とする請求項４に記載の商品販売データ処理装置。
【請求項６】
前記ベースは、前記キースイッチを案内する案内部を有して、前記外郭部材に設けられ、
前記キースイッチは、押圧されることで前記案内部に案内されて前記タッチパネルに近接する操作部と、前記操作部が前記タッチパネルに近接することで、前記検知部を操作する前記操作部に設けられた接触部と、前記操作部及び前記ベースの間に設けられ、弾性変形により前記操作部を往復動させる弾性部材と、を備える
ことを特徴とする請求項５に記載の商品販売データ処理装置。
【発明の詳細な説明】
【技術分野】
【０００１】
本発明は、ディスプレイにタッチパネルを有する商品販売データ処理装置に関する。
【背景技術】
【０００２】
従来、ＰＯＳ（Point of sales）端末等の商品販売データ処理装置は、商品の取引に関する処理を行う際に、入力手段を用いて外部情報が入力される。このような商品販売データ処理装置の入力手段には、例えば、キーボードが用いられる。また、商品販売データ処理装置に入力手段として、キーボード及びディスプレイに設けられたタッチパネルを用いるもの（例えば、特許文献１参照）や、タッチパネルのみを入力手段とするものもある。また、タッチパネルの操作性を向上させるために、タッチパネルの、操作を検知する検知部に、キーのサイズより小さい凸状の突起を設けた補助シートをタッチパネル上に設ける技術も知られている（例えば、特許文献２参照）。
【発明の概要】
【発明が解決しようとする課題】
【０００３】
上述した商品販売データ処理装置では、次のような問題があった。即ち、上述した商品販売データ処理装置では、業種業態により、その要求される使用は異なる。例えば、設置スペースが小さい商品データ処理装置が要求される場合には、筐体サイズを小さくする必要がある。このため、筐体サイズが小型化の商品販売データ処理装置は、キーボードに用いられるキーの数が少ない。
【０００４】
このようなキー数が少ない商品販売データ処理装置では、データ処理を行う際に、キー数が足りない場合に、タッチパネルをキーボードの代替として用いられる。しかし、タッチパネルは、その操作時の感覚や、操作入力に対する処理速度がキーボードとは異なることから、ユーザによっては、入力手段としてキーボードが求められることも多い。
【０００５】
また、上述したタッチパネルの操作性を向上させる補助シートは、キーのサイズより小さい凸状の突起を設けるため、キーよりも操作性が低い、という問題がある。
【０００６】
そこで本発明は、タッチパネルをキーにより操作可能な商品販売データ処理装置を提供することを目的としている。
【課題を解決するための手段】
【０００７】
前記課題を解決し目的を達成するために、本発明の商品販売データ処理装置は次のように構成されている。
【０００８】
本発明の一態様として、取引する商品情報の入力及び表示が可能な商品販売データ処理装置において、前記商品情報を表示するディスプレイと、前記商品情報の入力の処理が割り当てられた検知部を複数有するタッチパネルと、前記ディスプレイ及び前記タッチパネルを保持する外郭部材と、前記検知部を操作する補助キーと、前記外郭部材に設けられ、前記補助キーを着脱可能な固定部と、を備えることを特徴とする商品販売データ処理装置が提供される。
【０００９】
本発明の一態様として、取引する商品情報の入力及び表示が可能な商品販売データ処理装置において、筐体と、前記筐体に設けられた、前記商品情報の入力を行うキーボードと、前記商品情報を表示するディスプレイと、前記商品情報の入力の処理が割り当てられた検知部を複数有するタッチパネルと、前記筐体に設けられ、前記ディスプレイ及び前記タッチパネルを保持する外郭部材と、前記検知部を操作する補助キーと、前記外郭部材に設けられ、前記補助キーを着脱可能な固定部と、を備えることを特徴とする商品販売データ処理装置が提供される。
【発明の効果】
【００１０】
本発明によれば、タッチパネルをキーにより操作することが可能となり、タッチパネルの操作性が向上する。
【図面の簡単な説明】
【００１１】
【図１】本発明の第１の実施の形態に係る商品販売データ処理装置の構成を示す説明図。
【図２】同商品販売データ処理装置の要部構成を示す分解斜視図。
【図３】同商品販売データ処理装置の要部構成を示す断面図。
【図４】同商品販売データ処理装置の構成を模式的に示すブロック図。
【図５】同商品販売データ処理装置のディスプレイの表示の一例を示す説明図。
【図６】同ディスプレイの表示の一例及び要部構成の配置を模式的に示す説明図。
【図７】本発明の第２の実施の形態に係る商品販売データ処理装置の構成を示す説明図。
【図８】同商品販売データ処理装置の構成を模式的に示すブロック図。
【発明を実施するための形態】
【００１２】
以下、本発明の一実施の形態に係る商品販売データ処理装置１を、図１〜６を用いて説明する。  
図１は本発明の一実施の形態に係る商品販売データ処理装置１の構成を示す斜視図、図２は同商品販売データ処理装置１の表示装置１１の構成を示す分解斜視図、図３は同表示装置１１に用いられるキースイッチブロック４０の一部構成を示す断面図、図４は同商品販売データ処理装置１の構成を模式的に示すブロック図、図５は同表示装置１１のディスプレイ３２の表示の一例を模式的に示す説明図、図６は同ディスプレイ３２の表示の一例及び付属キーの配設の一例を模式的に示す説明図である。なお、図１中、Ｂはバスラインを示している。
【００１３】
図１に示すように、商品販売データ処理装置１は、筐体１０と、この筐体１０に接続された表示装置１１と、を備えている。筐体１０は、表示装置１１を筐体１０の上面の一部で開閉自在に枢支する。
【００１４】
筐体１０は、キーボード２１と、プリンタ２２と、カードリーダ２３と、を備えている。
【００１５】
キーボード２１は、テンキー、決済キー、商品情報入力キー、表示切替キー等の各キー２１ａを備え、商品、処理又はその他情報として、外部情報を入力可能に形成されている。また、キーボード２１は、後述する補助キー３５の追加を指示する追加キー２１ｂを備えている。
【００１６】
キーボード２１は、各業種業態に用いられた場合に、最低限必要なキー数を有する。なお、この最低限必要のキー数とは、入力手段として、キーボード２１だけでなく、後述する表示装置１１に設けられたタッチパネル３３を入力手段として用いた場合に、各業種業態で用いられても、商品販売データ処理に支障のない程度に使用ができる数である。
【００１７】
プリンタ２２は、サーマルプリンタ等であって、レシートを発行可能に形成されている。カードリーダ２３は、クレジットカードやポイントカード等の各種磁気カードやＩＣカードが差し込まれてスライドされることにより、それらカードに記録されているデータを読取る。
【００１８】
表示装置１１は、外郭部材３１と、ディスプレイ３２と、タッチパネル３３と、化粧パネル３４と、を備えている。また、表示装置１１は、必要に応じて着脱自在な補助キー３５を備えている。このような表示装置１１は、所謂タッチパネル式ディスプレイであって、処理内容の表示及び操作入力の双方が可能なＧＵＩ（Graphical User Interface）として機能する。
【００１９】
外郭部材３１は、下面の一部にて、筐体１０に枢支される連結部３１ａを有する。外郭部材３１は、ディスプレイ３２及びタッチパネル３３を保持する方形凹状の保持部３７と、保持部３７の対の辺部にそれぞれ複数設けられた一対の固定部３８と、を備えている。外郭部材３１は、保持部３７にディスプレイ３２及びタッチパネル３３を固定し、保持する。
【００２０】
固定部３８は、補助キー３５を固定可能、且つ、脱離可能、即ち、着脱可能に形成されている。例えば、固定部３８は、補助キー３５の後述するキースイッチブロック４０の後述する爪部４３を挿入し、且つ、係止可能な挿入口である。図２に示す例では、固定部３８は、複数設けられた一例として、４つ設ける構成としたが、固定部３８の数は適宜設定可能である。
【００２１】
ディスプレイ３２は、商品情報の表示や、タッチパネル３３の操作案内の表示が可能に形成されている。タッチパネル３３は、例えば、抵抗膜方式のタッチパネルである。このタッチパネル３３は、ディスプレイ３２の表面に固着される。タッチパネル３３は、操作として、予め処理が設定された複数の検知部Ｇを有し、これら検知部Ｇに指や部材等が接触した際に、その接触を検知し、外部情報が入力されたことを検知可能に形成されている。
【００２２】
補助キー３５は、複数のキースイッチ４１が一列に配置されたキースイッチブロック４０を一以上有する。この補助キー３５は、商品販売データ処理装置１の用途に応じて、外郭部材３１に任意の数のキースイッチブロック４０が配置される。
【００２３】
キースイッチブロック４０は、複数のキースイッチ４１と、複数のキースイッチ４１を一列に配置するベース４２と、を備えている。なお、ベース４２は、キースイッチ４１を配置するとともに、キースイッチ４１の押圧操作時の押圧方向への移動を案内する複数の案内部４２ａと、その両端に設けられた固定部３８と係合する爪部４３と、を備えている。
【００２４】
図３に示すように、キースイッチ４１は、操作部４４と、軸部４５と、接触部４６と、弾性部材４７と、を備えている。操作部４４は、押圧（押下）によりタッチパネル３３に近接移動する。軸部４５は、操作部４４のタッチパネル３３と対向する面に設けられ、案内部４２ａに挿通されることで、案内部４２ａに案内されて、キースイッチ４１の移動を案内する。
【００２５】
接触部４６は、軸部４５の先端に設けられ、操作部４４の押圧による近接移動に伴って移動し、タッチパネル３３と接触することで、タッチパネル３３の検知部Ｇを操作する。
【００２６】
弾性部材４７は、例えば、コイルバネであり、軸部４５に挿通される。この弾性部材４７は、一方の端面が操作部４４に、他方の端面がベース４２に当接して配置される。弾性部材４７は、操作部４４が押圧されると、圧縮（弾性変形）し、操作部４４をタッチパネル３３に近接させる。また、弾性部材４７は、押圧操作された操作部４４がフリーとなった際に、弾性部材４７の復元力で、操作部４４を元の位置に戻す。なお、弾性部材４７は、操作部４４を往復動することが可能であれば、コイルバネでなく、例えば、ゴム部材であってもよい。
【００２７】
化粧パネル３４は、外郭部材３１に着脱自在に設けられている。この化粧パネル３４は、ディスプレイ３２及びタッチパネル３３の形状にその中央側が開口する枠体である。化粧パネル３４は、外郭部材３１に装着した際に、外郭部材３１の固定部３８を覆い隠す。
【００２８】
図４に示すように、商品販売データ処理装置１は、制御部本体として、ＣＰＵ（Ｃｅｎｔｒａｌ  Ｐｒｏｃｅｓｓｉｎｇ  Ｕｎｉｔ）５０を搭載している。また、商品販売データ処理装置１は、記憶部５１と、通信インターフェイス（以下「通信Ｉ／Ｆ」）５２と、キーボードコントローラ５３と、プリンタコントローラ５４と、カードリーダコントローラ５５と、ディスプレイコントローラ５６と、タッチパネルコントローラ５７と、を備えている。なお、商品販売データ処理装置１は、各構成品５１〜５７がアドレスバスやデータバス等のバスラインＢを介してＣＰＵ５０に接続される。
【００２９】
記憶部５１は、例えば、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）と、ＢＩＯＳ−ＲＯＭ（Basic Input/Output System-Read Only Memory）と、により構成されている。
【００３０】
ＲＯＭは、ＣＰＵ５０の制御動作を実行させるプログラム等の固定的データを予め格納する。ＲＡＭは、商品販売データの処理や会計データの処理等で必要なデータの格納エリアを形成する。ＢＩＯＳ−ＲＯＭは、ＰＯＳＴ（Power-On Self Test）、ＢＩＯＳドライバ、ＶＧＡ（Video Graphics Array）ドライバ等を記憶する。
【００３１】
通信Ｉ／Ｆ５２は、例えば、ストアコンピュータとＬＡＮ（Ｌｏｃａｌ  Ａｒｅａ  Ｎｅｔｗｏｒｋ）等の通信回線を介してデータ通信を行うＬＡＮケーブル等が接続される。
【００３２】
キーボードコントローラ５３は、キーボード２１が接続されている。キーボードコントローラ５３は、キーボード２１の操作情報を受信し、ＣＰＵ５０に送信可能に形成されている。
【００３３】
プリンタコントローラ５４には、プリンタ２２が接続されている。カードリーダコントローラ５５には、カードリーダ２３が接続されている。
【００３４】
ディスプレイコントローラ５６は、ディスプレイ３２が接続されている。また、タッチパネルコントローラ５７は、タッチパネル３３が接続されている。
【００３５】
ＣＰＵ５０は、主要な機能として、キーボード２１の追加キー２１ｂの操作情報を検出し、タッチパネル３３の操作を検知する検知部の変更、及び、ディスプレイ３２の表示の変更を行う。ＣＰＵ５０は、このように、タッチパネル３３の検知部Ｇ及びディスプレイ３２の表示を変更することで、タッチパネル３３を操作する補助キー３５を設けることを可能とする機能を有している。
【００３６】
具体的には、ＣＰＵ５０は、表示装置１１に補助キー３５を有さない状態においては、図５に示すように、ディスプレイ３２の全画面に、各種情報を表示する。例えば、ＣＰＵ５０は、ディスプレイ３２には、商品の名称、価格及び現在の合計金額等の商品の情報を表示する情報表示Ｊと、タッチパネル３３の操作を検知する検知部Ｇであって、各検知部Ｇの位置及び検知部Ｇの処理の案内を行う案内表示Ｋと、を表示する。また、図５に示すように、ＣＰＵ５０は、ディスプレイコントローラ５６の全画面に各情報Ｊ，Ｋを表示する。
【００３７】
また、補助キー３５が用いられる場合には、ＣＰＵ５０は、追加キー２１ｂの操作回数に応じた数のキースイッチブロック４０が配設される範囲に、ディスプレイ３２に情報の表示を行わない。また、ＣＰＵ５０は、補助キー３５が配設されないディスプレイ３２上、即ち、補助キー３５が設けられても視認可能なディスプレイ３２に、各種情報を表示させる。
【００３８】
具体的には、図６に示すように、ＣＰＵ５０は、オペレータが追加キー２１ｂを操作することで、追加される補助キー３５のキースイッチブロック４０の数に応じて、視認可能なディスプレイ３２上に情報表示Ｊと案内表示Ｋを表示する。
【００３９】
図６では、キースイッチブロック４０が３つ設けられた例であり、キースイッチブロック４０は二点鎖線で示している。ＣＰＵ５０は、追加キー２１ｂの操作、例えば、３列設けられるキースイッチブロック４０と同数である３回追加キー２１ｂが操作されると、３列のキースイッチブロック４０のキースイッチ４１が位置する範囲に、キースイッチ４１の操作を検知する検知部Ｇを複数形成する。なお、この検知部Ｇは、図６中、二点鎖線で一部省略して表示するが、この上面はキースイッチブロック４０で覆われるため、検知部Ｇには、案内表示Ｋは表示しない。
【００４０】
このように、ＣＰＵ５０は、追加キー２１ｂの操作に応じて、ディスプレイ３２の情報の表示範囲及びタッチパネル３３の検知部Ｇを設定する機能を主要な機能として有する。
【００４１】
このように構成された商品販売データ処理装置１は、必要に応じて補助キー３５を配設可能に形成されている。例えば、キーボード２１のキー２１ａの数が足りない場合であって、タッチパネルではなくキーを操作する操作性を必要とするときには、図３に示すように、オペレータが先ず、外郭部材３１から化粧パネル３４を脱離させる。次に、追加するキースイッチブロック４０の爪部４３を固定部３８にそれぞれ係合させる。続いて、外郭部材３１に化粧パネル３４を係合させて、固定部３８を覆う。
【００４２】
また、追加するキースイッチブロック４０の数に応じて、追加キー２１ｂを操作する。この追加キー２１ｂの操作数により、ＣＰＵ５０は、設けられたキースイッチブロック４０の数を認識し、ディスプレイ３２に表示する情報表示Ｊ及びタッチパネル３３の案内表示Ｋを変更する。また、追加キー２１ｂの操作数により、ＣＰＵ５０は、キースイッチ４１の接触部４６と接触するタッチパネル３３の部位に検知部Ｇを配置する。
【００４３】
なお、この検知部Ｇは、追加キー２１ｂの操作数、即ち、設けられるキースイッチ４１と同じ数、同じ配置の検知部Ｇが設けられる。例えば、キースイッチブロック４０が１つだけ設けられる場合には、キースイッチブロック４０に設けられたキースイッチ４１と同数の検知部Ｇが一列に配置される。キースイッチブロック４０が２つ設けられる場合には、キースイッチブロック４０のキースイッチ４１と同数の検知部Ｇの列が、二列に配置される。
【００４４】
このように、追加キー２１ｂの操作数ごとに、検知部Ｇは、複数配置される。また、追加キー２１ｂの操作数が、キースイッチブロック４０が配置される数を超えると、ＣＰＵ５０は再び、ディスプレイ３２の表示を、図５に示すように、全画面で表示する。
【００４５】
このような商品販売データ処理装置１によれば、必要に応じて補助キー３５を設けることで、商品販売データ処理装置１は、タッチパネル３３を、キースイッチ４１を介して操作することが可能となる。
【００４６】
キースイッチ４１を用いてタッチパネル３３を操作することで、タッチパネル３３の操作であっても、キースイッチ４１による入力の感触を得ることができ、操作性を向上させることができる。また、キースイッチ４１の数を増加させても、筐体１０に設けるキーボード２１のサイズは可変しない。
【００４７】
例えば、商品販売データ処理装置１は、小型化のためにキー数を低減させ、最低限必要なキー数を有するキーボード２１を用い、キーボード２１で不足するキーを、タッチパネル３３の複数の検知部Ｇの一部を操作することで補う。しかし、商品販売データ処理装置１は、当該検知部Ｇの操作で商品情報の入力を行う場合に、当該検知部Ｇを直接指で押圧操作せずに、操作性がキーボード２１と同様の補助キー３５で当該検知部Ｇを操作する。
【００４８】
指で直接操作するよりも操作性がよい補助キー３５でタッチパネル３３の検知部Ｇを操作することで、キーボード２１のキー数を増加させることがなく、小型とするための筐体１０の形状を維持することができる。また、キーボードのキーによる操作性の要望により、別途、外付けのキーボードを設ける必要もない。しかも、補助キー３５は、商品販売データ処理装置１の使用用途に合わせて適宜追加可能である。このため、商品販売データ処理装置１の大型化を防止し、その構成を煩雑とすることがない。
【００４９】
さらに言うなら、タッチパネル３３を、補助キー３５のキースイッチ４１により操作する構成であるため、新たなキーボード及びキーボードコントローラを設置する必要もなく、製造コストの増加を防止できる。
【００５０】
上述したように本実施の形態に係る商品販売データ処理装置１によれば、キーボード２１のキー２１ａを増加させることなく、タッチパネル３３を操作するキースイッチ４１を有する補助キー３５を任意に設けることが可能となる。キースイッチ４１でタッチパネル３３を操作することで、タッチパネル３３の操作性を向上することが可能となる。また、補助キー３５を追加するだけでよく、商品販売データ処理装置１の製造コストの増大を防止できる。
【００５１】
次に、本発明の第２の実施の形態に係る商品販売データ処理装置１Ａを、図７及び図８を用いて説明する。
【００５２】
図７は本発明の第２の実施の形態に係る商品販売データ処理装置１Ａの構成を示す斜視図、図８は同商品販売データ処理装置１Ａの構成を模式的に示すブロック図である。なお、図７及び図８中、図１〜図６と同様の構成には、同一符号を付し、その詳細な説明は省略する。
【００５３】
商品販売データ処理装置１Ａは、表示装置１１Ａを備えている。表示装置１１Ａは、外郭部材３１Ａと、ディスプレイ３２と、タッチパネル３３と、化粧パネル３４と、キースイッチブロック４０と、を備えている。このような表示装置１１Ａは、タッチパネル式ディスプレイであって、処理内容の表示及び操作入力の双方が可能なＧＵＩとして機能する。
【００５４】
外郭部材３１Ａは、保持部３７と、保持部３７の対の辺部に複数設けられた固定部３８と、を備えている。タッチパネル３３は、補助キー３５の追加情報を入力する追加検知部３３ａを有している。なお、この追加検知部３３ａは、タッチパネル３３の検知部Ｇの一である。例えば、ディスプレイ３２には、タッチパネル３３の追加検知部３３ａに対応する部位に、追加検知部３３ａの範囲及び補助キー３５の追加を案内する案内表示Ｋが表示される。
【００５５】
図８に示すように、商品販売データ処理装置１Ａは、制御部本体として、ＣＰＵ５０を搭載している。また、商品販売データ処理装置１Ａは、記憶部５１と、通信Ｉ／Ｆ５２と、ディスプレイコントローラ５６と、タッチパネルコントローラ５７と、を備えている。なお、商品販売データ処理装置１Ａは、ＣＰＵ５０に、各構成品５１，５２，５６及び５７をアドレスバスやデータバス等のバスラインＢで接続されている。
【００５６】
ＣＰＵ５０は、主要な機能として、タッチパネル３３の追加検知部３３ａの操作情報を検出して、上述した商品販売データ処理装置１Ａと同様に、タッチパネル３３の操作エリアの変更、及び、ディスプレイ３２の表示の変更を行い、補助キー３５の追加を可能とする機能を有している。
【００５７】
具体的には、ＣＰＵ５０は、表示装置１１Ａに補助キー３５を有さない状態においては、ディスプレイ３２の全画面に各種情報を表示する。また、ＣＰＵ５０は、追加検知部３３ａが操作され、補助キー３５を設ける情報が入力されると、補助キー３５が配設されない範囲に情報表示Ｊと案内表示Ｋを表示する。
【００５８】
補助キー３５を設けない場合には、ＣＰＵ５０は、ディスプレイコントローラ５６及びタッチパネルコントローラ５７に、全画面を用いて情報を表示する指示を行う。
【００５９】
このように構成された商品販売データ処理装置１Ａは、タッチパネル３３の操作性を向上させたい場合には、追加検知部３３ａを操作して、補助キー３５の増減を行うことで、補助キー３５のキースイッチ４１によりタッチパネル３３を操作することが可能となる。
【００６０】
また、追加する補助キー３５は、キースイッチブロック４０の数及び追加検知部３３ａの操作によって、その配置が可変可能となる。このため、必要に応じて補助キー３５を用いることで、タッチパネル３３の入力の操作性がよい商品販売データ処理装置１Ａとすることができる。
【００６１】
特に、キーボード２１やプリンタ２２等を有さない商品販売データ処理装置１Ａは、外部にキーボード等を接続することが困難である場合が多い。しかし、商品販売データ処理装置１Ａは、表示装置１１Ａに補助キー３５を直接設けることで、別途キーボード２１を設ける必要がない。このため、商品販売データ処理装置１Ａは、キーボード２１を外部接続することなく、キースイッチ４１によりタッチパネル３３を操作することで、タッチパネル３３を操作性が向上する。
【００６２】
上述したように本実施の形態に係る商品販売データ処理装置１Ａによれば、タッチパネル３３を操作する補助キー３５を任意に設けることが可能となり、操作性の向上のために、キーボードを外部接続する必要がなく、簡素な構成とすることができる。また、タッチパネル３３を、補助キー３５により操作することで、操作性の向上となる。
【００６３】
なお、本発明は前記実施の形態に限定されるものではない。上述した例では、外郭部材３１、３１Ａに設けられた固定部３８は、キースイッチブロック４０をディスプレイ３２に対して縦方向に４つ延設可能な構成で説明したがこれに限定されない。例えば、キースイッチブロック４０が、横方向に延設可能とするように、固定部３８を、保持部３７の両側縁に複数設ける構成でもよい。
【００６４】
即ち、キースイッチブロック４０は、縦方向及び横方向の何れに配設してもよい。また、キースイッチブロック４０を配設可能な数は、特に限定されない。言い換えると、ディスプレイ３２に必要とする情報が表示できれば、キースイッチブロック４０は、いくつ設けてもよい。このため、例えば、外郭部材３１，３１Ａの保持部３７の周縁全てに、固定部３８を設け、必要に応じて、縦方向又は横方向に必要な数のキースイッチブロック４０を延設する構成であってもよい。
【００６５】
また、上述した商品販売データ処理装置１，１Ａでは、スキャナを有さない構成としたが、例えばハンドスキャナを用いる構成であってもよく、また、他の構成であってもよい。
【００６６】
さらに、上述した商品販売データ処理装置１では、補助キー３５を設ける際に追加キー２１ｂを、上述した商品販売データ処理装置１Ａでは、追加検知部３３ａを、それぞれ操作する。このように、追加キー２１ｂ及び追加検知部３３ａを操作することで、ＣＰＵ５０にディスプレイ３２及びタッチパネル３３の表示及び状態を変更する指示を行う構成とした。しかし、商品販売データ処理装置１，１Ａは、これら構成に限定されない。例えば補助キー３５を設ける旨の指示を行うスイッチを外郭部材の側面等に別途設ける構成であってもよく、また、キーボード２１及びタッチパネル３３の両方に設ける構成であっても、一方に設ける構成であってもよい。
【００６７】
また、上述した例では、タッチパネル３３は、抵抗膜方式のタッチパネルを用いると説明したが、これに限定されない。タッチパネル３３は、抵抗膜方式でなく、静電容量方式であっても、表面弾性波方式であっても、他の方式であっても可能である。また、キースイッチ４１の接触部４６は、各方式のタッチパネル３３を操作可能であればよい。この他、本発明の要旨を逸脱しない範囲で種々変形実施可能である。
【符号の説明】
【００６８】
１．１Ａ…商品販売データ処理装置、１０…筐体、１１、１１Ａ…表示装置、２１…キーボード、２１ａ…キー、２１ｂ…追加キー、２２…プリンタ、２３…カードリーダ、３１、３１Ａ…外郭部材、３１ａ…連結部、３２…ディスプレイ、３３…タッチパネル、３３ａ…追加検知部、３４…化粧パネル、３５…補助キー、３７…保持部、３８…固定部、４０…キースイッチブロック、４１…キースイッチ、４２…ベース、４２ａ…案内部、４３…爪部、４４…操作部、４５…軸部、４６…接触部、４７…弾性部材、５０…ＣＰＵ、５１…記憶部、５２…通信インターフェイス、５３…キーボードコントローラ、５４…プリンタコントローラ、５５…カードリーダコントローラ、５６…ディスプレイコントローラ、５７…タッチパネルコントローラ、Ｂ…バスライン、Ｇ…検知部、Ｊ…情報表示、Ｋ…案内表示。
【先行技術文献】
【特許文献】
【００６９】
【特許文献１】特開２００８−１２３１２３号公報
【特許文献２】特開平１１−１１０１１１号公報
【図１】
2011180828.tif 000003
【図２】
2011180828.tif 000004
【図３】
2011180828.tif 000005
【図４】
2011180828.tif 000006
【図５】
2011180828.tif 000007
【図６】
2011180828.tif 000008
【図７】
2011180828.tif 000009
【図８】
2011180828.tif 000010